(57)【要約】【課題】絵画、写真、ポスター等のシート状の展示物を取り付ける額縁において、軽くて且つ収納した展示物の平面性を保って保持する。【解決手段】枠体２と、スクリーン２０と、スクリーン取付部材２１とを有し、枠体２には内向き突縁６ａを有する取付溝６が形成され、前記スクリーン取付部材２１がスクリーン２０とともに取付溝６内に押入されて、スクリーン取付部材２１の脚部２３に設けられた係止爪２４が内向き突縁６ａに係止することで、前記スクリーン２０が、枠体２に張設された状態で固定されると共に、枠体２の一面２ａとスクリーン２０とにより展示物５０の装着面Ｍが形成され、装着面Ｍに重ねられる展示物５０は、保持部材３０によって装着面Ｍ上に保持される。【選択図】図８
2019180547.tif 000002
【特許請求の範囲】
【請求項１】
シート状の展示物を取り付けるための額縁であって、
前記額縁は、矩形の枠体の内側の開口に、スクリーン取付部材によってネット状のスクリーンを緊張状態で張設することにより前記展示物の装着面が形成され、
前記枠体の周囲に取り付けられる保持部材に、前記装着面に重ねた展示物の周囲を該装着面上に弾力的に押圧保持する当接片を備えていることを特徴とする額縁。
【請求項２】
前記額縁における枠体の厚さ方向の一面側に、該枠体の開口を包囲すると共に、内向き突縁により口縁が狭窄化された取付溝が形成され、
該取付溝にスクリーンを保持させるスクリーン取付部材は、前記取付溝を覆う蓋部と、取付溝に前記スクリーンと一緒に押入される脚部とを有し、該脚部には係止爪が設けられていて、この係止爪が前記内向き突縁に係止することで、該スクリーン取付部材が取付溝から抜け止めされると共に、前記スクリーンが枠体に緊張状態で張設されて、枠体の一面側と該枠体の開口を覆うスクリーンとにより前記展示物の装着面が形成されていることを特徴とする請求項１に記載の額縁。
【請求項３】
前記保持部材は、合成樹脂により形成されて、矩形の枠体の各周辺毎に、枠体の外周に固定される第１部分と、枠体の前記一面側に位置して前記展示物を枠体側に圧接する第２部分とを有し、
前記第２部分には、前記展示物の周囲を枠体に弾力的に押圧保持する当接片が一体的に設けられていることを特徴とする請求項１又は２に記載の額縁。
【請求項４】
前記第１部分と第２部分とはヒンジを介して連結されていて、第２部分が、このヒンジを回動基点として、前記当接片と枠体との間に展示物を挟持する保持位置と、該展示物の保持状態を開放する退避位置とに変位可能であり、また、これら第１部分と第２部分との間には、該第２部分を前記保持位置に保持するための位置保持機構が設けられていることを特徴とする請求項３に記載の額縁。
【請求項５】
前記第１部分と第２部分とを連結する前記ヒンジは、軟質合成樹脂材料からなる弾性変形可能な薄板状として、該第１部分及び第２部分と一体形成されていることを特徴とする請求項４に記載の額縁。
【請求項６】
前記第１部分は、枠体の前記一面側に開放する凹部内において枠体の外周に接する側壁に設けられた受け爪を有し、該受け爪には、凹部の深さ方向に向かって上り勾配状に傾斜する傾斜部と、その内端側に鉤部を構成する係合段部とが設けられ、
一方、先端側に前記当接片が設けられた回動カバーを有する前記第２部分には、該回動カバーの基端側に、該回動カバーが前記保持位置にあるときに前記受け爪における係合段部に係止する係合突部をもつ掛け爪が設けられ、
前記位置保持機構が、前記回動カバーが退避位置から保持位置へと回動するときに、前記係合突部が傾斜部に乗り上がり、該傾斜部を乗り越えたときに係合段部に係止されるように構成されていることを特徴とする請求項５に記載の額縁。
【請求項７】
前記当接片は、回動カバーの基端側に向けて傾斜する板状体から成り、該板状体が当接片の先端側に向かうに従い薄肉化されていることを特徴とする請求項６に記載の額縁。
【発明の詳細な説明】
【技術分野】
【０００１】
本発明は、絵画、ポスター、写真、賞状等の展示物を取り付ける額縁に関するものである。
【背景技術】
【０００２】
絵画、ポスター、写真、賞状等のシート状の展示物を取り付ける額縁は公知である。一般的な額縁として、例えば、特許文献１や特許文献２に示されているようなタイプのものが挙げられる。このうち、特許文献１に示す額縁は、矩形の枠状に形成された外枠１と、プラスチックフィルムから成るカバーシート２と、矩形板状のバックボート（基台）３とを有し、この額縁に展示物を収容する場合、前記基台３に展示物を重ねるとともに、展示物の表面に前記カバーシート２をあてた状態で外枠１を被せ、それから、該外枠１に配設された止め具１１で基台３の裏面を係止する。
【０００３】
また、前記特許文献２に示されている額縁は、厚紙やプラスチック、発泡材等で形成された基台３と、基台３に載せられた展示物を覆う透明な保護カバー５と、これら基台３及び保護カバー５の周縁に取り付けられる枠体７とを有し、前記枠体７は、該枠体７の４つの辺を構成する４つの縁部材９−１２から構成されると共に、４隅の角部に、縦横で隣接する縁部材をつなぐＬ字形の接続部材１３が取り付けられている。この額縁に展示物を装着する場合には、枠体７の１つの辺を形成する縁部材９の両側に配された接続部材１３を外し、該縁部材９を引張りながら基台３をスライドさせる。そして、引っ張り出された基台３上に展示物を載せ、基台３を元の位置に戻して取り外された縁部材９と接続部材１３とを再び取り付ける。
【０００４】
ところで、従来の額縁は、展示物を重ねるための基台を樹脂や金属で形成すると、一定の強度を確保することができるがその一方で額縁の重量が大きくなってしまう。これに対して、基台を前記厚紙、発泡材、或いはベニヤ等の木製板で形成したものの場合、樹脂や金属で形成したものに比べて軽量であるが、湿気などにより反りが発生し易く、それに伴い、展示物を平らに取り付けられなかったり、或いは、枠体の外形がくずれて額縁の美感を損ねてしまうといった問題がある。
【先行技術文献】
【特許文献】
【０００５】
【特許文献１】特開２０１０−２００９４１号公報
【特許文献２】特開２００７−０２１００５号公報
【発明の概要】
【発明が解決しようとする課題】
【０００６】
本発明の課題は、絵画、写真、ポスター等のシート状の展示物を取り付ける額縁において、枠体内の前記基台に相当するものを、枠体内の開口にネット状のスクリーンを緊張状態で張設したものとし、それによって、枠体の歪みを抑制すると共に、軽くて、収納した展示物を平面状に保つ保持性においても優れている額縁を提供することにある。
【課題を解決するための手段】
【０００７】
前記課題を解決するため、本発明によれば、シート状の展示物を取り付けるための額縁であって、前記額縁は、矩形の枠体の内側の開口に、スクリーン取付部材によってネット状のスクリーンを緊張状態で張設することにより前記展示物の装着面が形成され、前記枠体の周囲に取り付けられる保持部材に、前記装着面に重ねた展示物の周囲を該装着面上に弾力的に押圧保持する当接片を備えていることを特徴とする額縁が提供される。
【０００８】
本発明に係る額縁においては、前記額縁における枠体の厚さ方向の一面側に、該枠体の開口を包囲すると共に、内向き突縁により口縁が狭窄化された取付溝が形成され、該取付溝にスクリーンを保持させるスクリーン取付部材は、前記取付溝を覆う蓋部と、取付溝に前記スクリーンと一緒に押入される脚部とを有し、該脚部には係止爪が設けられていて、この係止爪が前記内向き突縁に係止することで、該スクリーン取付部材が取付溝から抜け止めされると共に、前記スクリーンが枠体に緊張状態で張設されて、枠体の一面側と該枠体の開口を覆うスクリーンとにより前記展示物の装着面が形成されているのがより好ましい。
【０００９】
本発明に係る額縁において、前記保持部材は、合成樹脂により形成されて、矩形の枠体の各周辺毎に、枠体の外周に固定される第１部分と、枠体の前記一面側に位置して前記展示物を枠体側に圧接する第２部分とを有し、前記第２部分には、前記展示物の周囲を枠体に弾力的に押圧保持する当接片が一体的に設けられていることが望まれる。
【００１０】
また、本発明に係る額縁においては、前記第１部分と第２部分とはヒンジを介して連結されていて、第２部分が、このヒンジを回動基点として、前記当接片と枠体との間に展示物を挟持する保持位置と、該展示物の保持状態を開放する退避位置とに変位可能であり、また、これら第１部分と第２部分との間には、該第２部分を前記保持位置に保持するための位置保持機構が設けられていることが望ましい。
【００１１】
本発明に係る額縁において、前記第１部分と第２部分とを連結する前記ヒンジは、軟質合成樹脂材料からなる弾性変形可能な薄板状として、該第１部分及び第２部分と一体形成されたものとするのが望ましい。
【００１２】
さらに、本発明に係る額縁において、前記第１部分は、枠体の前記一面側に開放する凹部内において枠体の外周に接する側壁に設けられた受け爪を有し、該受け爪には、凹部の深さ方向に向かって上り勾配状に傾斜する傾斜部と、その内端側に鉤部を構成する係合段部とが設けられ、一方、先端側に前記当接片が設けられた回動カバーを有する前記第２部分には、該回動カバーの基端側に、該回動カバーが前記保持位置にあるときに前記受け爪における係合段部に係止する係合突部をもつ掛け爪が設けられ、前記位置保持機構が、前記回動カバーが退避位置から保持位置へと回動するときに、前記係合突部が傾斜部に乗り上がり、該傾斜部を乗り越えたときに係合段部に係止されるように構成されていることが望まれる。
上記額縁における当接片は、回動カバーの基端側に向けて傾斜する板状体から成り、該板状体が当接片の先端側に向かうに従い薄肉化されていることが好ましい。
【発明の効果】
【００１３】
上述した本発明によれば、絵画、写真、ポスター等のシート状の展示物を取り付ける額縁において、一般的な額縁の枠体内の基台に相当するものを、該枠体内の開口にネット状のスクリーンを緊張状態で張設したものとするので、それによって枠体の歪みを抑制すると共に、軽くて、収納した展示物を平面状に保つ保持性においても優れたものとすることができる。
【図面の簡単な説明】
【００１４】
【図１】本発明に係る額縁の一実施形態を示す正面図である。
【図２】前記額縁の拡大縦断面図である。
【図３】展示物を保持する保持部材を枠体に固定する前の状態を示す正面図である。
【図４】前記枠体を示す正面図である。
【図５】前記枠体を分解した状態を示す正面図である。
【図６】保持部材における第２部分が退避位置にあるときの状態を示す部分拡大断面図である。
【図７】前記第２部分が退避位置から保持位置に変位している途中の状態を示す部分拡大断面図である。
【図８】前記第２部分が保持位置にあるときの状態を示す部分拡大断面図である。
【発明を実施するための形態】
【００１５】
図１−図８は、本発明に係る額縁の一実施形態を示すものである。この額縁１は、ポスターや写真等の展示物５０を取り付けるためのもので、中央に開口３を有する矩形の枠体２と、ネット状の矩形のスクリーン２０と、枠体２にスクリーン２０を装着するスクリーン取付部材２１と、前記枠体２の周囲に固定される保持部材３０とを有している。該額縁１は、前記スクリーン２０が、スクリーン取付部材２１により前記開口３を覆うようにして枠体２に取り付けられていることで、展示物５０を装着する装着面Ｍが形成され、さらに、前記保持部材３０によって、展示物５０を装着面Ｍ上に保持するように構成されている。以下、額縁１の具体的構成について説明する。
【００１６】
前記スクリーン２０は、ポリエステル繊維あるいはポリプロピレン繊維等を平織やラッセル織等の織り方で形成されていて、その縦横寸法は前記枠体２の開口３よりも若干大きくなっている。
【００１７】
図２−図５に示すように、前記枠体２は、該枠体２の４辺にそれぞれ配置されたフレーム４と、隣接する縦横のフレーム４，４同士の端部を接続する４つのコーナー部材１０とを有している。前記フレーム４は、同形同大の長尺の部材であり、その素材としては、軽量で剛性の高いアルミニウム等が使用される。前記フレーム４には、該フレーム４の長手方向における一端と他端とを貫通する連結孔５が設けられている。一方、前記コーナー部材１０は、直方体状のキャップ部１１と、前記フレーム４の連結孔５に嵌入する一対の連結用突部１２，１２とを有している。一対の連結用突部１２，１２は、互いに直交する２方向に突出していて、この連結用突部１２が、フレーム４に形成された前記連結孔５に嵌入されていることで、４つの角部において隣接する縦横のフレーム４，４の端部同士が連結固定され、それにより、矩形状に枠組みされた前記枠体２が構成されている。
【００１８】
なお、符号１２ａは、例えばゴム等の弾性力のある筋状の弾性体であり、弾性体１２ａの摩擦力により連結孔５に嵌入された連結用突部１２が簡単に外れてしまうのを防止している。前記キャップ部１１は、保持部材３０を枠体２に固定する際の位置決め片１１ａを有し、また、枠体２の外周を構成する２辺には、保持部材３０の脚部３４の押入を許容する受入凹部１１ｂ（図６−図８参照）を設けている。
【００１９】
一方、図２−図８に示すように、前記枠体２は、該枠体２の厚さ方向の一面２ａ（以下表面とする）側に、前記スクリーン取付部材２１が嵌入する第１の取付溝６が形成されている。この第１の取付溝６は、枠体２における前記開口３を包囲していると共に、その口縁に設けられた一対の内向き突縁６ａ，６ａによって該口縁が狭窄化されている。
さらに、この枠体２における外周には、保持部材３０を取り付ける為の第２の取付溝７を有していて、この第２の取付溝７も第１の取付溝６と同じく、その口縁には一対の内向き突縁７ａ，７ａが設けられ該口縁が狭窄化されている。なお、第２の取付溝７は、前記キャップ部１１に設けられた前記受入凹部１１ｂに連続して連なっている。
【００２０】
前記スクリーン取付部材２１は、合成樹脂の押し出し成形により形成されていて、前記取付溝６を覆う平板状の蓋部２２と、蓋部２２から直交方向に延びる一対の脚部２３，２３とを有し、これら脚部２３，２３の先端部外側には、互いに背向する係止爪２４，２４が各々形成されている。
【００２１】
前記スクリーン取付部材２１を用いて枠体２にスクリーン２０を取り付けるには、スクリーン取付部材２１と第１の取付溝６との間に、前記スクリーン２０を平坦な状態に軽く引き伸ばして介在させるとともに、該スクリーン取付部材２１の脚部２３，２３の先端と、該第１の取付溝６の口縁とをスクリーン２０を間に介して対向配置させる。それから、蓋部２２の外表面を押しこんで、前記脚部２３，２３を、スクリーン２０と一緒に第１の取付溝６内へと押入する。
【００２２】
そうすると、前記脚部２３に形成された係止爪２４の斜面がスクリーン２０を介して前記内向き突縁６ａ，６ａの先端に当接し、脚部２３，２３が内側に弾性変形する。前記係止爪２４の斜面が内向き突縁６ａ，６ａを通過すると、脚部２３，２３が元の状態に弾性復帰し、該係止爪２４が内向き突縁６ａ，６ａに係止される。この係止状態で、スクリーン取付部材２１が、第１の取付溝６内にスクリーン２０を引き込んだ状態となり、且つ、該第１の取付溝６からの抜け出しが防止されている。このように、前記スクリーン２０は、スクリーン取付部材２１と一緒に第１の取付溝６に引き込まれることで、最終的に適度な緊張が与えられて枠体２に取り付けられ、また、該スクリーン２０によって枠体２の開口３が覆われると共に、該枠体２の表面２ａとこのスクリーン２０とにより、展示物５０の前記装着面Ｍが形成される。
【００２３】
また、前記張設作業の結果、スクリーン２０は枠体２に緊張状態で綺麗に張ることができ、張設後に外力が作用してもしわが生じることがなく、さらに、該スクリーン２０の緊張力により枠体２を構成する４つのフレーム４が対辺側（即ち枠体２の中央）に向けて引っ張られるため、前記枠体２の歪みや反りの発生が可及的に抑制される。また、スクリーン２０の網目が通気性を確保することから、湿気の影響で反りが生じることもなく、軽くて且つ展示物５０の平面性が保たれる。
【００２４】
また、図２及び図６−図８に示すように、前記スクリーン取付部材２１が前記第１の取付溝６に嵌入している状態では、蓋部２２の外表面は、前記枠体２の表面２ａよりも外側に突出しないように構成されており、装着面Ｍ上に重ねられた展示物５０の裏面に蓋部２２が当たって蓋部２２の外形が浮き出るのが防止される。なお、前記スクリーン２０は、第１の取付溝６への押入後にスクリーン取付部材２１からはみ出した余剰部分を適宜の長さ分だけカットしたり、或いは、枠体２の開口３の縦横寸法と、当該スクリーン２０における、第１の取付溝６に引き込まれる縁部分の長さを考慮したサイズに、予め裁断したものを取り付けることでもよい。
【００２５】
次に、前記装着面Ｍ上に展示物５０を保持するための保持部材３０について、具体的に説明する。
この保持部材３０は、枠体２の４辺に沿ってそれぞれ配置される合成樹脂製のもので、該枠体２の外周に固定される第１部分３１と、該枠体２の表面２ａ側に位置していて前記展示物５０を枠体２側に圧接する当接片４３を備えた第２部分３２と、該第１部分３１と第２部分３２とを連結するヒンジ３３とを有し、これら第１部分３１、第２部分３２及びヒンジ３３は、一体成形により形成されている。
そして、前記第２部分３２は、ヒンジ３３を回動基点として、展示物５０を当接片４３と枠体２の表面２ａとの間で挟持する保持位置（図２及び図８参照）と、前記展示物５０の保持状態を開放する退避位置（図６参照）とに保持できるように回動変位可能に構成されている。
【００２６】
なお、保持部材３０の長さは、枠体２を枠組みするフレーム４の長さより長くなっていて、枠体２に固定したときに、該フレーム４の両端を接続するコーナー部材１０に設けた位置決め片１１ａに当接するように成っている。そして、図１及び図３において、縦向きに対向配置された左右の保持部材３０の長さは、横向きに対向配置された上下の保持部材３０の長さよりも長くなっている。これら保持部材３０は、その他の点では実質的に同一の構成を有しているため、以下、４つの保持部材３０に共通するものとして説明する。
【００２７】
図６−図８に示すように、前記保持部材３０の第１部分３１には、枠体２の外周に形成された前記第２の取付溝７に嵌入する一対の脚部３４，３４が設けられ、該一対の脚部３４，３４には、その先端部外側に互いに背向する係止爪３５，３５が設けられており、該係止爪３５，３５が、第２の取付溝７の内向き突縁７ａ，７ａに係止されている。
また、前記枠体２の第１部分３１には、その表面２ａ側に開放する凹部３６を有している。該第１部分３１の凹部３６は、前記枠体２の外周に接して脚部３４が垂下している内側壁３７と、内側壁３７の外側に対向配置された外側壁３８と、枠体２の裏面２ｂ側において前記内側壁３７と外側壁３８とを連結して、凹部３６の底を構成する底側壁３９とで形成されている。この凹部３６は、保持部材３０を第２の取付溝７に固定した際に、この第２の取付溝７を覆う外周化粧材としての役割を有している。
【００２８】
前記凹部３６は、枠体２の外周に接する内側壁３７の内側に、受け爪４０が設けられている。この受け爪４０は、第２部分３２に設けられた後述する掛け爪４２と係合することで、該第２部分３２を前記保持位置に保持し、該掛け爪４２と共に第２部分の位置保持機構を構成するものである。該受け爪４０は、前記内側壁３７における凹部３６の口縁に設けられていて、凹部３６の深さ方向に向かって上り勾配状に傾斜する傾斜部４０ａと、その内端側に鉤部を構成する係合段部４０ｂとを有している。なお、前記傾斜部４０ａと係合段部４０ｂとが交わる頂部は丸められている。
【００２９】
一方、前記第１部分３１の外側壁３８にヒンジ３３を介して連結された第２部分３２は、先端側に前記当接片４３が設けられた回動カバー４１を有し、該回動カバー４１の基端部には、前記受け爪４０に係合される掛け爪４２が設けられている。
前記回動カバー４１は、平らな板状で展示物の周囲を覆う部分であり、前記ヒンジ３３に連結されて保持位置と退避位置とに回動変位可能であると共に、保持位置側に位置するときには、前記展示物５０の縁部と枠体２の表面２ａとの境界を覆って意匠性を高めるものである。
【００３０】
前記掛け爪４２は、前記回動カバー４１のヒンジ３３への連結部に設けた立設部４２ａから、該回動カバー４１の先端側に向けて湾曲するように形成された係合突部４２ｂを有し、回動カバー４１を図６の前記退避位置から前記保持位置に移動させるときに、この係合突部４２ｂが凹部３６の深さ方向に向かって上り勾配状に傾斜する受け爪４０の傾斜部４０ａに沿って、その内端側の鉤部を構成する前記係合段部４０ｂに係合することにより、前記第２部分３２が前記保持位置に保持されるように構成している。
【００３１】
前記当接片４３は、回動カバー４１の内面側に設けられ、該回動カバー４１の基端側に向かって傾斜する弾性変形可能な板状体から成っている。この当接片４３は、その先端に向かうに従って次第に薄肉化されていると共に、該先端部分が前記回動カバー４１の内面側に向けて若干湾曲した形状を成している。展示物５０を保持する際には、当接片４３の先端部分が、装着面Ｍに重ねられた展示物５０を可及的に面接触状態で弾性圧接し、また、厚みのある展示物５０においても、その厚さに応じて該当接片４３が内側（回動カバー４１側）に倒伏するようにして撓むため、当接片４３と枠体２との間に様々な厚さの展示物５０を挟むことが可能である。
また、前記ヒンジ３３は、軟質な合成樹脂材料からなる弾性変形可能な薄板状として、該第１部分及び第２部分と一体形成されている。
【００３２】
前記保持部材３０を枠体２に取り付けるには、保持部材３０の長さ方向両端を前記位置決め片１１ａに突き当てて位置決めさせると共に、該保持部材３０の脚部３４の先端と、枠体２における第２の取付溝７、及び、該第２の取付溝７に連なるキャップ部１１の前記受入凹部１１ｂの口縁とを対峙させた状態とする。その状態で、前記凹部３６を区画する外側壁３８の外表面を第２の取付溝７と受入凹部１１ｂに向けて押圧する。そうすると、前記脚部３４に形成された係止爪３５の斜面が、第２の取付溝７の内向き突縁７ａ，７ａに当たって脚部３４，３４が内側に弾性変形し、前記係止爪３５の全体が内向き突縁７ａ，７ａの内側を通過すると、脚部３４，３４が元の状態に弾性復帰し、該係止爪３５が内向き突縁７ａ，７ａに係止される。このようにして、脚部３４が第２の取付溝７及び受入凹部１１ｂ内に押入されて、前記保持部材３０が枠体２に取り付けられる。
【００３３】
次いで、前記保持部材３０により展示物５０を保持する場合について説明する。
先ず、図６に示すように、前記保持部材３０の第２部分３２を開いて退避位置に位置させた状態とし、スクリーン２０及び枠体２の表面２ａで構成された装着面Ｍ上に展示物５０を載せる。それから、前記第２部分３２の回動カバー４１を前記退避位置から保持位置へと回動させる。このとき、図７に示すように、前記掛け爪４２の係合突部４２ｂが第１部分３１の受け爪４０の傾斜部４０ａに乗り上がることで、圧接し合う受け爪４０と掛け爪４２が全体的に弾性変形すると共に、軟質で薄板状のヒンジ３３が弾性的に変形して傾斜部４０ａに対する係合突部４２ｂのせり上がりが許容される。
【００３４】
それから、さらに回動カバー４１を保持位置に向けて回動させると、前記係合突部４２ｂが傾斜部４０ａの頂部に向かって該傾斜部４０ａ上を摺接していき、該傾斜部４０ａの頂部を乗り越えたところで、該係合突部４２ｂと係合段部４０ｂとが係合される（図８参照）。この係合状態においては、前記第２部分３２が保持位置に保持され、前記展示物５０が、回動カバー４１に設けられた当接片４３の外面と枠体２との間で弾力的に挟持される。これを、前記枠体２の４辺に配された各保持部材３０について行うことで、前記展示物５０を装着面Ｍ上に保持することができる。
【００３５】
なお、額縁１から展示物５０を取り外す場合には、前記受け爪４０の係合段部４０ｂから掛け爪４２の係合突部４２ｂを離脱させる。そうすることで、ヒンジ３３における延伸後の弾性的収縮力の作用により、前述の手順とは逆の手順を経て前記回動カバー４１が保持位置から退避位置に向かって変位して、展示物５０に対する挟持状態が解除され、それに合わせて、該回動カバー４１を退避位置まで開いて該展示物５０を取り外す。なお、係合段部４０ｂから係合突部４２ｂを離脱させる際、前記受け爪４０における傾斜部４０ａと係合段部４０ｂとが交差する頂部、及び、掛け爪４２の係合突部４２ｂの先端は丸められているので、過剰な力を要することなくその離脱をスムーズに行うことができる。
【００３６】
以上において本発明に係る額縁について説明してきたが、本発明は前記の実施形態に限定されることなく、特許請求の範囲の趣旨を逸脱しない範囲で様々な設計変更が可能であることは言うまでもない。
例えば、本実施形態では、枠体２に前記保持部材３０を予め固定しているが、装着面Ｍに展示物５０を装着したあとに後付けで保持部材３０を枠体２に固定し、それから第２部分３２を退避位置から保持位置へと変位させて保持することもできる。さらに、保持部材の構成についても、第１部分３１と第２部分３２を可撓なヒンジ３３により連結した本実施形態に限られることはなく、展示物５０を枠体２との間で圧接することにより、最終的に、前記装着面Ｍ上に保持できるものであれば如何なる構成を有していてもよい。
【符号の説明】
【００３７】
１      額縁
２      枠体
２ａ    一面
３      開口
６      第１の取付溝
６ａ    内向き突縁
２０    スクリーン
２１    スクリーン取付部材
２２    蓋部
２３    脚部
２４    係止爪
３０    保持部材
３１    第１部分
３２    第２部分
３３    ヒンジ
３６    凹部
４０    受け爪
４０ａ  傾斜部
４０ｂ  係合段部
４１    回動カバー
４２    掛け爪
４２ｂ  係合突部
４３    当接片
【図１】
2019180547.tif 000003
【図２】
2019180547.tif 000004
【図３】
2019180547.tif 000005
【図４】
2019180547.tif 000006
【図５】
2019180547.tif 000007
【図６】
2019180547.tif 000008
【図７】
2019180547.tif 000009
【図８】
2019180547.tif 000010